(57)【要約】【課題】前側熱交換器と後側熱交換器を所定の角度に確実に固定できる空気調和装置室内機の熱交換器を提供する。【解決手段】本熱交換器は、前側熱交換器及び後側熱交換器の両側端部に設けられる端板と、これら端板間に互いに間隙を存して並設される複数の放熱フィンと、これら端板と放熱フィンとを貫通する複数の伝熱管と、前側熱交換器と後側熱交換器とが側面視で逆Ｖ字状をなすように前側熱交換器の端部と後側熱交換器の端部を係止する係止部を有する固定具を備える。【選択図】  図３
2006258394.tif 000002
【特許請求の範囲】
【請求項１】
空気調和装置の室内機内に配置される前側熱交換器及び後側熱交換器と、
それぞれの熱交換器の両側端部に設けられる端板と、これら端板間に互いに間隙を存して並設される複数の放熱フィンと、これら端板と放熱フィンとを貫通する複数の伝熱管と、前記前側熱交換器と前記後側熱交換器とが側面視で逆Ｖ字状をなすように前記前側熱交換器の端部と前記後側熱交換器の端部を係止する係止部を有する固定具を備えたことを特徴とする空気調和装置室内機の熱交換器。
【請求項２】
前記両熱交換器は、前側熱交換器上部と後側熱交換器上部との間隙を埋めるシール部材を備え、前記固定具は、前記シール部材の側端を衝止することを特徴とする請求項１に記載の空気調和装置室内機の熱交換器。
【発明の詳細な説明】
【技術分野】
【０００１】
本発明は空気調和装置室内機の熱交換器に係り、特に前側熱交換器と後側熱交換器の取付け構造を改良した空気調和装置室内機の熱交換器に関する。
【背景技術】
【０００２】
従来、空気調和装置の室内機は、空気吸込口と吹出口を備えた室内機本体内に前側熱交換器と後側熱交換器が連設され折曲された状態で収容されている。
【０００３】
一般に両熱交換器を折曲状態で維持するには、上部熱交換器と下部熱交換器を固定する固定板とこの固定板を螺着するネジを用いた固定構造が用いられている（例えば、特許文献１）。
【０００４】
しかしながら、特許文献１に記載の固定構造は、一体的に連通された熱交換器の折曲を維持するのには適するが、両熱交換器が分離した熱交換器に応用する場合には、それぞれ熱交換器を所定の角度に維持して固定することが困難である。また、それぞれの熱交換器が所定の角度からずれることで、空気調和装置室内機の組立時に熱交換器が筐体に収まりにくくなったり、余計な隙間が生じ、そこから空気が侵入して熟交換性能が低下する原因となる。
【特許文献１】特開平６−１０９２７１号公報
【発明の開示】
【発明が解決しようとする課題】
【０００５】
本発明は上述した事情を考慮してなされたもので、前側熱交換器と後側熱交換器を所定の角度に確実に固定できる空気調和装置室内機の熱交換器を提供することを目的とする。
【課題を解決するための手段】
【０００６】
上記目的を達成するため、本発明に係る空気調和装置室内機の熱交換器は、空気調和装置の室内機内に配置される前側熱交換器及び後側熱交換器と、それぞれの熱交換器の両側端部に設けられる端板と、これら端板間に互いに間隙を存して並設される複数の放熱フィンと、これら端板と放熱フィンとを貫通する複数の伝熱管と、前記前側熱交換器と前記後側熱交換器とが側面視で逆Ｖ字状をなすように前記前側熱交換器の端部と前記後側熱交換器の端部を係止する係止部を有する固定具を備えたことを特徴とする。
【発明の効果】
【０００７】
本発明に係る空気調和装置室内機の熱交換器によれば、前側熱交換器と後側熱交換器を所定の角度に確実に固定できる空気調和装置室内機の熱交換器を提供することができる。
【発明を実施するための最良の形態】
【０００８】
以下、本発明の一実施形態に係る空気調和装置室内機の熱交換器について添付図面を参照して説明する。
【０００９】
図１は本発明の一実施形態に係る空気調和装置室内機の熱交換器が組込まれた空気調和装置の斜視図、図２はその断面図である。
【００１０】
図１及び図２に示すように、本発明に係る空気調和装置室内機１は、ケーシング２ａと筐体２ｂからなる本体２を有し、この本体２には、その前面部に前面パネル３が設けられており、この前面パネル３の前面側に前部吸込口３ａが開口され、上面に上部吸込口３ｂが開口されている。
【００１１】
また、室内機本体２内には前側熱交換器４及び後側熱交換器５からなる室内熱交換器６が配設され、前側熱交換器４の前方で前部吸込口３ａの後方には、フィルタ７が配置されており、また、前側熱交換器４の後方には室内ファン８が配設されており、その室内ファン８の下方には調和空気の吹出口９が形成されている。この吹出口９には空調空気の吹出し方向を調整させるルーバー１０が設けられている。
【００１２】
また、室内熱交換器６を形成する前側熱交換器４及び後側熱交換器５は、その長手方向に所定の間隔を存して並設される複数のアルミフィン１１に複数の伝熱管１２を貫通させてなるフィンチューブタイプの熱交換器であり、側面視、略逆Ｖ字状に形成されており、前側熱交換器４は前面側に前方に突出するように複数段に折り曲げられて湾曲した形状を有し、後側熱交換器５は前側熱交換器４に連結され上面乃至背面側に対向し、背面側に向かって下方に傾斜して配設されている。
【００１３】
さらに、前側熱交換器４の下部は、筐体２ｂに一体形成された前側ドレンパン２ｂ１に対向し、後側熱交換器５の下部は後側ドレンパン２ｂ２に対向して配置されている。
【００１４】
前側熱交換器４の上部と後側熱交換器５の上部との隙間には、熱交換器４の長手方向に沿ってシール部材１３が設けられている。このシール部材１３は隙間から空気が侵入することで生じる熱交換性能の低下を防止するものである。
【００１５】
図２及び図３に示すように、前側熱交換器４及び後側熱交換器５は、それぞれの左右両端部に板金製の前側端板１４、後側端板１５が設けられ、伝熱管１２の突出部１２ａが突出している。前側端板１４は、断面Ｌ字状に折曲され、一片部はアルミフィン１１と平行な平行面部１４ａとなり、他片部は平行面部１４ａの一側端に沿って平行面部１４ａと直交する方向に折曲される折曲面部１４ｂとして伝熱管突出部１２ａと平行に突出する。同様に後側端板１５は、平行面部１５ａと折曲面部１５ｂを有する。
【００１６】
前側熱交換器４と後側熱交換器５は、固定具１６により一体的に固定されている。
【００１７】
この固定具１６は、前側熱交換器４の前側端板１４の上端部を係止する前側係止部１６ａと、後側熱交換器５の後側端板１５の上端部を係止する後側係止部１６ｂを有し、前側係止部１６ａ、後側係止部１６ｂは連結片１７の端部からそれぞれ折曲されている。
【００１８】
前側係止部１６ａは、間隙Ａを存して連結片１７の一端から折曲される二つの前側第１係止片１６ａ１及び前側第２係止片１６ａ２からなり、前側第２係止片１６ａ２は前側第１係止片１６ａ１の一部を切欠いて前側第１係止片１６ａ１と平行となるように折曲されて設けられている。
【００１９】
これら前側第１係止片１６ａ１及び前側第２係止片１６ａ２との間隙Ａに端板１４の折曲面部１４ｂを挿入するようになっている。
【００２０】
また、前側第１係止片１６ａ１の端部には、前側端板１４の平行面部１４ａと固定ネジ１８により固定される前側固定片１９ａが平行面部１４ａと平行に折曲されて設けられている。
【００２１】
同様に後側係止部１６ｂは、間隙Ｂを在して連結片１７の一端から折曲される二つの後側第１係止片１６ｂ１と後側第２係止片１６ｂ２とからなり、後側第２係止片１６ｂ２は後側第１係止片１６ｂ１の一部を切欠いて後側第１係止片１６ｂ１と平行になるように折曲されて設けられている。
【００２２】
これら後側第１係止片１６ｂ１と後側第２係止片１６ｂ２との間隙Ｂに後側端板１５の折曲面１５ｂを挿入するようになっている。
【００２３】
さらに、後側第１係止片１６ｂ１の端部には、後側端板１５の平行面部１５ａと固定ネジ１８により固定される後側固定片１９ｂが平行面部１５ａと平行に折曲されて設けられている。
【００２４】
このように固定具１６によって一体的に固定される前側交換器４と後側熱交換器５とがなす角度は、固定具１６の前側係止部１６ａと後側係止部１６ｂとがなす角度により決められる。
【００２５】
また、前側係止片１６ａ１の端部から折曲された前側固定片１９ａには、シール部材１３の側端を止めるシール部材衝止片２０が、前側固定片１９ａの端部から延出して設けられている。
【００２６】
上述の構成から、固定具１６に前側交換器４の前側端板１４と後側熱交換器５の後側端板１５を挿入して係止し、固定ネジ１８で固定する構成としたので、前側熱交換器４と後側熱交換器５とを所定の角度に確実に固定することができるので、組立性が向上し、余計な隙間などがなく、熱交換性能の低下を防止することができる。
【００２７】
また、固定具１６にシール部材１３の側端を衝止するシール部材衝止片２０を設けたので、組立時などにシール部材１３がずれたりすることがなく、組立性が向上する。
【００２８】
上述のように本実施形態に係る空気調和装置室内機の熱交換器によれば、前側熱交換器と後側熱交換器を所定の角度に確実に固定できる空気調和装置室内機の熱交換器が実現される。
【図面の簡単な説明】
【００２９】
【図１】本発明の一実施形態に係る空気調和装置室内機の熱交換器が組込まれた空気調和装置の斜視図。
【図２】本発明の一実施形態に係る空気調和装置室内機の熱交換器が組込まれた空気調和装置の断面図。
【図３】図３の熱交換器の折曲部分を拡大して示す斜視図。
【符号の説明】
【００３０】
１…空気調和装置室内機、２…本体、４…前側熱交換器、５…後側熱交換器、６…室内熱交換器、７…フィルタ、１１…アルミフィン、１２…伝熱管、１２ａ…伝熱管突出部、１３…シール部材、１４…前側端板、１５…後側端板、１６…固定具、１８…固定ネジ、２０…シール部材衝止片。
【図１】
2006258394.tif 000003
【図２】
2006258394.tif 000004
【図３】
2006258394.tif 000005